(57)【要約】      （修正有）【課題】ブログパーツを貼り付けることでブログ利用者が、見てわかりやすく、簡単な操作で株式情報を取得できるようにする。【解決手段】ブログパーツを利用者が、ブログ・ホームページに貼り付け、証券市場が提供している情報を取得することを可能としている。初心者が見てわかりやすい情報にするため、出来高データを出来高率として加工し表示している。出来高率は、出来高の変動率を求めたもので証券市場で公開させている出来高をブログパーツ内で計算し表示している。また、業種検索には、企業の特色という要素を入れ、他にない業種別検索が可能となっている。【選択図】図１
2008047000.tif 000002
【特許請求の範囲】
【請求項１】
本発明のブログパーツは、株式情報の出来高率・出来高率の前日比・企業別決算日・記事トピックス・企業別チャート（出来高率）・企業別チャート（株価）・業種検索・ポートフォリオ機能を備え持つ株式情報ブログパーツである。また、以上の情報画面は、携帯電話でも表示可能。
【発明の詳細な説明】
【技術分野】
【０００１】
本発明は、ブログパーツを貼り付けるのみで株式情報の出来高率・出来高率の前日比・企業別決算日・記事トピックス・企業別チャート（出来高率）・企業別チャート（株価）・業種検索・ポートフォリオなどの株式情報を表示することが可能なブログパーツシステムである。貼り付けを行う際は、利用者が他社のウェブサービスを利用するか、または利用者自身でサーバースペースを用意する。弊社ブログパーツサービスでは、弊社ブログパーツサービスページを呼び出すためのＨＴＭＬダグを自動生成する。そのＨＴＭＬタグをコピー＆ペーストすることで簡単に利用できるように利用者へ提供する。（名称：貼り付け用タグ）他社ウェブサービスサービスサーバーのページのＨＴＭＬソースを編集可能な状態にして、弊社ブログパーツサービスを呼びだすＨＴＭＬタグを他社ウェブサービスのページへ貼り付け用タグを貼り付ける。他社ウェブサービスがインターネットブラウザに表示するため呼び出されると、他社ウェブサービスのＨＴＭＬタグ内に記述した弊社ブログパーツサービスのページも同時にインターネットブラウザ上に表示される。弊社ブログパーツサービスサーバー上の表示ページを変更することで、利用者は変更作業を行うことなく可変的な弊社ブログパーツサービスを受けることが可能になる。また、ブログパーツ表示画面と同様の情報を銅画面とおなじ状態で携帯電話に表示が可能である。
【背景技術】
【０００２】
従来の株式情報ブログパーツでは、証券市場が発表しているデータをそのまま呼び込み多様な情報を利用者に提供している。また、株価・出来高など固定した銘柄について情報を提供しているブログパーツもある。インターネットによる証券の売買が盛んになっている現在、インターネットを繋ぐことによっていつでも証券情報を取得することが可能である。証券情報をブログパーツで表示することが可能であると、ブログまたは、ホームページを開いている状態で情報を読み取れ、証券情報サイトを開いている状態に比べて他の作業の効率のアップが図れる。
【発明の開示】
【発明が解決しようとする課題】
【０００３】
しかしながら、従来技術にあっては、証券市場の情報をそのまま表示していることからその情報を分析解析する能力が、利用者に求められる。初心者にとって情報を整理し解析・分析することは、とても難しい問題である。
【０００４】
本発明の目的は、ブログパーツを貼り付けることでブログ利用者が、見てわかりやすく、簡単な操作で株式情報を取得できることにある。
【課題を解決するための手段】
【０００５】
上記課題を解決するために本発明は、ブログパーツを利用者が、ブログ・ホームページに貼り付け、証券市場が提供している情報を取得することを可能としている。初心者が見てわかりやすい情報にするため、出来高データを出来高率として加工し表示している。出来高率は、出来高の変動率を求めたもので証券市場で公開させている出来高をブログパーツ内で計算し表示している。また、業種検索には、企業の特色という要素を入れ、他にない業種別検索が可能となっている。
【発明の効果】
【０００６】
本発明によりブログパーツをブログ・ホームページに貼り付けることでブログ利用者は、ブログやホームページを開いたまま株式情報を簡単な操作で取得することが可能となる。また、パソコンのない場所でも携帯電話からブログパーツと同様の画面を表示し情報を確認することが可能である。
【発明を実施するための最良の形態】
【０００７】
インターネット環境のあるパソコンを保有し、利用者自身のブログを保有しており、「穴株サーチ」のサイトで会員登録を行い発行されたタグをブログに貼り付ける。貼り付けを行う際は、利用者が他社のウェブサービスを利用するか、または利用者自身でサーバースペースを用意する。弊社ブログパーツサービスでは、弊社ブログパーツサービスページを呼び出すためのＨＴＭＬダグを自動生成する。そのＨＴＭＬタグをコピー＆ペーストすることで簡単に利用できるように利用者へ提供する。（名称：貼り付け用タグ）他社ウェブサービスサービスサーバーのページのＨＴＭＬソースを編集可能な状態にして、弊社ブログパーツサービスを呼びだすＨＴＭＬタグを他社ウェブサービスのページへ貼り付け用タグを貼り付ける。他社ウェブサービスがインターネットブラウザに表示するため呼び出されると、他社ウェブサービスのＨＴＭＬタグ内に記述した弊社ブログパーツサービスのページも同時にインターネットブラウザ上に表示される。弊社ブログパーツサービスサーバー上の表示ページを変更することで、利用者は変更作業を行うことなく可変的な弊社ブログパーツサービスを受けることが可能になる。
【実施例１】
【０００８】
ブログユーザーが「穴株サーチ」のサイトで会員登録を行い発行されたタグをブログに貼り付ける。貼り付けを行う際は、利用者が他社のウェブサービスを利用するか、または利用者自身でサーバースペースを用意する。弊社ブログパーツサービスでは、弊社ブログパーツサービスページを呼び出すためのＨＴＭＬダグを自動生成する。そのＨＴＭＬタグをコピー＆ペーストすることで簡単に利用できるように利用者へ提供する。（名称：貼り付け用タグ）他社ウェブサービスサービスサーバーのページのＨＴＭＬソースを編集可能な状態にして、弊社ブログパーツサービスを呼びだすＨＴＭＬタグを他社ウェブサービスのページへ貼り付け用タグを貼り付ける。他社ウェブサービスがインターネットブラウザに表示するため呼び出されると、他社ウェブサービスのＨＴＭＬタグ内に記述した弊社ブログパーツサービスのページも同時にインターネットブラウザ上に表示される。弊社ブログパーツサービスサーバー上の表示ページを変更することで、利用者は変更作業を行うことなく可変的な弊社ブログパーツサービスを受けることが可能になる。出来高率ランキングを表示させたいときは、出来高率ボタンをクリックする。前日比ランキングは、前日比ボタン、企業別の決算日は、決算日ボタンをクリックし、決算月を選び企業コード、企業名、決算日を表示させる。チャートボタンをクリックし、企業名もしくは、コードを入力し検索、出来高率ボタンで出来高率チャート、株価ボタンで株価チャートが表示される。記事ボタンをクリックすると最新記事が表示され、キーワード入力によってキーワードが含まれる記事タイトルを株式関連のニュースを扱っているサイトから取得し、一致する記事タイトルを一番新しい記事から順に１１件表示する。業種ボタンをクリックすると業種一覧を選べまた、特色キーワードを入力することで業種の中からさらに絞り込むことが可能である。Port  Folio（ポートフォリオ）は、登録者専用の保有株の損益をシミュレートする機能である。管理者画面で登録時のPasswordを入力しないと閲覧ができない設定となっているシミュレート可能な銘柄数は１０銘柄となっている。
【図面の簡単な説明】
【０００９】
【図１】ブログパーツの貼り付け構造図である。
【図１】
2008047000.tif 000003